(57)【要約】【課題】  紙材も少なくて済み、組立をワンタッチで行うことができて、コストも安く、しかも、再利用可能とすることにより環境にも配慮した折畳み紙箱を提供する。【解決手段】  折畳み紙箱は、角筒をなすように順次連なる第１〜第４周壁パネル21〜24と、第２および第４周壁パネル22、24のそれぞれの後縁部にこれらに渡されるようにそれぞれ屈曲自在に連結されている後端壁43とよりなる。第１および第３周壁パネル21、23のそれぞれの後縁部と、これらの縁部とそれぞれ対応する後端壁43の両縁部とは、分離させられているものである。【選択図】  図１
0003102328.tif 000002
【実用新案登録請求の範囲】
【請求項１】
角筒をなすように順次連なる第１〜第４周壁パネル21〜24と、第２および第４周壁パネル22、24のそれぞれの後縁部にこれらに渡されるようにそれぞれ屈曲自在に連結されている後端壁43とよりなり、第１および第３周壁パネル21、23のそれぞれの後縁部と、これらの縁部とそれぞれ対応する後端壁43の両縁部とは、分離させられている折畳み紙箱。
【請求項２】
第１および第３周壁パネル21、23のそれぞれの幅方向中央部に横断面Ｕ字状第１および第２縦屈曲部61、62が形成されるとともに、後端壁43の奥行き方向中央部に横断面Ｕ字状横屈曲部63が形成されており、第１および第２縦屈曲部61、62並びに横屈曲部63にそって、第１および第３周壁パネル21、23並びに後端壁パネル43がそれぞれ２つ折りとなされている請求項１に記載の折畳み紙箱。
【請求項３】
第１および第２縦屈曲部61、62が山折りとなされるとともに、横屈曲部63が山折りまたは谷折りとなされている請求項２に記載の折畳み紙箱。
【請求項４】
第１および第２縦屈曲部71、72が谷折りとなされるとともに、横屈曲部73が山折りとなされている請求項２に記載の折畳み紙箱。
【請求項５】
第４周壁パネル24の自由縁部に、第１周壁パネル21の自由縁部外面または内面にシールされた縦シールパネル25が設けられている請求項１〜４のいずれか１つに記載の折畳み紙箱。
【請求項６】
第２周壁パネル22の後縁部と、これに対する後端壁43の連結縁部とは一体的に連なっており、第４周壁パネル24の後縁部に対する後端壁43の連結縁部に、第４周壁パネル24の後縁部の外面または内面にシールされた横シールパネル44が設けられている請求項１〜５のいずれか１つに記載の折畳み紙箱。
【請求項７】
第２周壁パネル22および第４周壁パネル24の後縁部と、これに対する後端壁パネル43の連結縁部とはそれぞれ一体的に連なっており、第１周壁パネル21および第３周壁パネル23の自由縁部に、第４周壁パネル24の自由縁部外面または内面にシールされた縦シールパネル25ａ、25ｂがそれぞれ設けられている請求項１〜４のいずれか１つに記載の折畳み紙箱。
【請求項８】
第２周壁パネル22または第４周壁パネル24の前縁部に前端壁パネル41が屈曲自在に連結されている請求項１〜７のいずれか１つに記載の折畳み紙箱。
【請求項９】
前端壁パネル41の先端縁部に差込みパネル42が設けられている請求項８に記載の折畳み紙箱
【考案の詳細な説明】
【技術分野】
【０００１】
この考案は、例えば、ダース箱、化粧箱として用いられる折畳み紙箱に関する。
【背景技術】
【０００２】
従来、この種の紙箱としては、種々雑多のものが使用されているが、何れも過剰包装の嫌いがある。したがって、高価であり、省資源の観点からも問題がある。
【考案の開示】
【考案が解決しようとする課題】
【０００３】
この考案の目的は、上記問題点を解決し、紙材も少なくて済み、組立をワンタッチで行うことができて、コストも安く、しかも、再利用可能とすることにより環境にも配慮した折畳み紙箱を提供することにある。
【課題を解決するための手段】
【０００４】
この考案による折畳み紙箱は、角筒をなすように順次連なる第１〜第４周壁パネルと、第２および第４周壁パネルのそれぞれの後縁部にこれらに渡されるようにそれぞれ屈曲自在に連結されている後端壁とよりなり、第１および第３周壁パネルのそれぞれの後縁部と、これらの縁部とそれぞれ対応する後端壁の両縁部とは、分離させられているものである。
【０００５】
この考案による折畳み紙箱では、第１および第３周壁パネルの折畳み動作と、後端壁の折畳み動作とが相互に干渉し合わないから、第１および第３周壁パネル並びに後端壁を２つ折りにして、第２および第４周壁パネルを重ね合わせるように紙箱を折り畳むことが可能である。
【０００６】
さらに、第１および第３周壁パネルのそれぞれの幅方向中央部に横断面Ｕ字状第１および第２縦屈曲部が形成されるとともに、後端壁パネルの奥行き方向中央部に横断面Ｕ字状横屈曲部が形成されており、第１および第２縦屈曲部並びに横屈曲部にそって、第１および第３周壁パネル並びに後端壁がそれぞれ２つ折りとなされていると、例えば、運搬、収納に際し、折畳み紙箱を、嵩張らないで、コンパクトな状態にしておくことができる。さらに、折畳み状態から、各屈曲部をのばすことにより、開いた箱の状態に簡単にすることができる。
【０００７】
また、第１および第２縦折曲部が山折りとなされるとともに、横折曲部が山折りまたは谷折りとなされていても良い。
【０００８】
また、第１および第２縦折曲部が谷折りとなされるとともに、横折曲部が山折りとなされていてもよい。
【０００９】
また、第４周壁パネルの自由縁部に、第１周壁パネルの自由縁部外面または内面にシールされた縦シールパネルが設けられていると、第１〜第４周壁パネルを簡単に角筒状にすることができる。
【００１０】
また、第２周壁パネルの後縁部と、これに対する後端壁の連結縁部とは一体的に連なっており、第４周壁パネルの後縁部に対する後端壁の連結縁部に、第４周壁パネルの後縁部の外面または内面にシールされた横シールパネルが設けられていると、後端壁を、第２および第４周壁パネルのそれぞれの後縁部に確実かつ簡単に渡すことができる。
【００１１】
また、第２周壁パネルおよび第４周壁パネルの後縁部と、これに対する後端壁パネルの連結縁部とはそれぞれ一体的に連なっており、第１周壁パネルおよび第３周壁パネルの自由縁部に、第４周壁パネルの自由縁部外面または内面にシールされた縦シールパネルがそれぞれ設けられていると、第２周壁パネルおよび第４周壁パネルに対して、後端壁パネルを渡すための手間が省けるし、第１〜第４周壁パネルを簡単に角筒状にすることができる。
【００１２】
また、第２周壁パネルまたは第４周壁パネルの前縁部に前端壁パネルが屈曲自在に連結されていてもよい。
【００１３】
また、前端壁パネルの先端縁部に差込みパネルが設けられていると、前端壁パネルによって、第１〜第４周壁パネルのなす角筒の上端開口を確実に閉鎖状態に保つことができる。
【考案の効果】
【００１４】
この考案によれば、紙箱を簡単に折畳みかつ開いた状態に組立てることができる。さらに、開いた状態では、紙材に重なり合う部分が無いため、紙箱を構成する紙材は必要最小限の量で足りる。したがって、コストが安く、過剰包装ともならず、環境にも易しい折畳み紙箱が提供される。
【考案を実施するための最良の形態】
【００１５】
この考案の実施の形態を図面を参照しながら以下に説明する。
【００１６】
以下の説明において、前後とは、図１の上下の側を前後といい、左右とは、図１の左右の側を左右というものとする。
【００１７】
図１は、紙箱用ブランクを紙箱外面から見た状態を示している。紙箱用ブランクは、左から右にかけて、第１〜第３縦折曲線11〜13を介して順次連なる正方形状第１〜第４周壁パネル21〜24と、第４周壁パネル24の自由縁部である右縁部に第４縦折曲線14を介して連なる帯状縦シールパネル25と、第４周壁パネル24の前縁部に第１横折曲線31を介して連なり各周壁パネル21〜24と同形状である前端壁パネル41と、前端壁パネル41の前縁部に第２横折曲線32を介して連なる帯状差込みパネル42と、第２周壁パネル22の後縁部に第３横折曲線33を介して連なり各周壁パネル21〜24と同形状である後端壁43と、後端壁43の後縁部に第４横折曲線34を介して連なる帯状横シールパネル44とよりなる。
【００１８】
第１および第３周壁パネル21、23の左右方向中央部には、前後方向にのびた第１および第２縦折畳線51、52が形成されている。後端壁43の前後方向中央部を左右方向にのびた横折畳線53が形成されている。
【００１９】
第１〜第４縦折曲線11〜14、第１〜第４横折曲線31〜34、第１および第２縦折畳線51、52並びに横折畳線53は、いすれも仮想線であってもよいし、スコア線のように、折曲のきっかけとなる条溝のようなものでもよい。
【００２０】
図２は、図１に示すブランクから組立てられた紙箱の開かれた状態を示すものである。前端壁パネル41が手前側に開かれている。ブランクを組立てる手順は、以下の通りである。
【００２１】
まず、第１〜第４縦折曲線11〜14にそって、各縦折曲線11〜14を挟んで隣合うパネル21〜24、25が９０度の角度をなすように第１〜第４周壁パネル21〜24並びに縦シールパネル25を折曲げる。ついで、接着剤等を用いて、縦シールパネル25外面を、第１周壁パネル21の左縁部内面に貼り付ける。そうすると、第１〜第４周壁パネル21〜24並びに縦シールパネル25が角筒状をなすように組み立てられる。そして、第３横折曲線33にそって、後端壁43を第２周壁パネル22に対して９０度の角度をなすように折曲げるとともに、第４横折曲線34にそって、横シールパネル44を後端壁43に対して９０度の角度をなすように折り曲げ、再び、接着剤等を用いて、横シールパネル44外面を第４周壁パネル24の後縁部内面に貼付ける。最終的に、第１および第２横折曲線31、32にそって、前端壁パネル41および差込パネル42を若干折り曲げて、第１〜第４周壁パネル21〜24を横倒し状態に寝かせると、図２示す形態となる。これは、紙箱が開かれた状態である。なお、縦シールパネル25および横シールパネル44の貼り付けは、内外を逆にするように行ってもよい。
【００２２】
ここで、完成した紙箱の注目すべき点は、第１および第３周壁パネル21、23の後縁部と、後端壁パネル43の左右両縁部との間には若干の隙間が生じている。このことが、次に説明する折畳み動作にとって重要である。
【００２３】
つぎに、紙箱の折り畳み方を、図３を参照しながら説明する。第１および第２縦折畳線51、52にそって、これらの部分が山折りとなるように第１および第３周壁パネル21、23を２つ折りにする。すると、そこに、横断面Ｕ字状第１および第２縦屈曲部61、62が形成される。一方、横折畳線53が谷折りとなるように後端壁43を２つ折りにする。その結果、横屈曲部63が形成される。
【００２４】
図４に示すように、第１および第２縦折畳線51、52を谷折りとするように第１および第３周壁パネル21、23を折り曲げても良いが、その場合、横折畳線53は山折りとするように後端壁43を折曲なければならない。２つの縦屈曲部71、72および横屈曲部73がそれぞれ形成されている。
【００２５】
図３および図４において、第１および第３周壁パネル21、23並びに後端壁43は、いずれも、２つ折りになっている状態が示されていないが、各パネル21、23、43の折曲程度を強くしていけば、そのようになることは容易に想像することがてきる。
【００２６】
図１に示す紙箱に内容物を収容した後、差込パネル42を第２周壁パネル22と、例えば、これと相対する内容物の間に差し込むように前端壁パネル41および差込パネル42をそれぞれ折曲げると、第１〜第４周壁パネル21〜24のなす前端開口が前端壁パネル41によって閉鎖され、前端壁パネル41が不用意に開放される心配が無い。
【００２７】
紙箱に収容する内容物としては、紙箱にほぼぴったり収まる形態の１つの物品、または、重ね合わせると同物品とほぼ同じ形態となる複数の物品を収容するために好適である。
【００２８】
紙箱の材質は問わない。重量物を収納する場合、紙質を段ボール等としてもよい。その場合、シールパネルを用いる代わりに、これらを省略する形態で、テープで対応する部分を繋ぎ止めるようにしてもよい。さらには、紙箱をシュリンク包装するようにしてもよい。
【００２９】
つぎに、ブランクおよび紙箱の変形例を様々に説明する。以下の説明において、上記下部分と対応する部分には同一の符号を付して示す。
【００３０】
図１に示すブランクでは、第４周壁パネル24の前縁部に前端壁パネル41が連なっているが、これに代わり、図５に示すブランクでは、前端壁パネル41は第２周壁パネル22の前縁部に連なっている。これ以外は、双方のブランクは同一の構成である。この図５に示すブランクから組立てられた紙箱が図６に示されている。この紙箱の折畳み方は、図１に示すブランクから組立てられた紙箱と同じである。
【００３１】
図７に示すブランクは、３つの第１〜第３周壁パネル21〜23が、２つの第１および第２縦折曲線11、12を介して、左から右にかけて、順次連なっている。第１周壁パネル21の自由縁部には第３縦折曲げ線15を介して第１縦シールパネル25ａが連なるとともに、第３周壁パネル23の自由縁部に第４縦折曲線16を介して第２縦シールパネル25ｂが連なっている。第１および第３周壁パネル21、23には第１および第２縦折畳線51、52が形成されている。第２周壁パネル22の後縁部に後端壁パネル43が第１横折曲線33を介して連なり、これに、横折畳線53が形成されている様子は、上記各ブランクと同じであるが、後端壁パネル43の後縁部には第４周壁パネル24および前端壁パネル41が、第２および第３横折曲線35、36を介して、前から後にかけて、順次連なっている。さらに、前端壁パネル41の後縁部には第４横折曲線37を介して差込パネル42が連なっている。
【００３２】
このブランクから組立てられた紙箱が図８に示されている。図８に示す紙箱は、図２に示す紙箱と良く似ているが、相違点は、第１および第２縦シールパネル25ａ、25ｂが第４周壁パネル24の内面にシールされていることである。
【００３３】
図９に、さらなる変形例によるブランクが示されている。この変形例によるブランクの材質としては、とくに、段ボールが好適に用いられる。
【００３４】
第１〜第３周壁パネル21〜23が左右方向に連なる様子と、第２周壁パネル22、後端壁パネル43および第４周壁パネル24が前後方向に順次連なる様子とは、図７に示すブランクと同じである。この変形例によるブランクでは、第２周壁パネル22の前縁部に第１前端壁パネル41ａが第３横折曲線38を介して連なるとともに、第４周壁パネル24の後縁部に第２前端壁パネル41ｂが第４横折曲線39を介して連なっている。２つの第１前端壁パネル41ａおよび第２前端壁パネル41ｂを横に並べると、図７に示す１つの前端壁パネル41と同じ大きさとなる。
【００３５】
図９に示すブランクから組立てられた紙箱が図１０に示されている。２つの第１前端壁パネル41ａおよび第２前端壁パネル41ｂの自由縁部同士を突き合わせるようにして４つの周壁パネル21〜24のなす開口を閉じた後、同両自由縁部は、これらにまたがるようにシールテープを貼り付けるようにしてもよい。
【図面の簡単な説明】
【００３６】
【図１】この考案による紙箱を組立てるためのブランクの展開図である。
【図２】同紙箱を開いた状態の斜視図である。
【図３】同紙箱を折畳んだ状態の斜視図である。
【図４】同紙箱を別の形態に折畳んだ状態の斜視図である。
【図５】変形例によるブランクの展開図である。
【図６】同変形例によるブランクから組立てられ紙箱の図２相当の斜視図である。
【図７】他の変形例によるブランクの展開図である。
【図８】同変形例によるブランクから組立てられ紙箱の図２相当の斜視図である。
【図９】さらなる他の変形例によるブランクの展開図である。
【図１０】同変形例によるブランクから組立てられ紙箱の図２相当の斜視図である。
【符号の説明】
【００３７】
21〜24  周壁パネル
41  前端壁パネル
43  後端壁パネル
【図１】
0003102328.tif 000003
【図２】
0003102328.tif 000004
【図３】
0003102328.tif 000005
【図４】
0003102328.tif 000006
【図５】
0003102328.tif 000007
【図６】
0003102328.tif 000008
【図７】
0003102328.tif 000009
【図８】
0003102328.tif 000010
【図９】
0003102328.tif 000011
【図１０】
0003102328.tif 000012